(57)【要約】      （修正有）【課題】配管の途中に挿入したまま、濾過エレメントの取出しと再装着が容易にでき、装着後に十分な密封性が確保される濾過装置を提供する。【解決手段】濾体１１と、濾体を着脱自在に保持する保持器１２と、保持器外周面を気密に覆う外筒１３とを具える濾過装置１０。濾体１１は円筒状に形成した多孔板の周囲に濾材を巻き付け、円筒は両端にフランジを具え、保持器１２は両端に孔明き端板を具え濾体１１のフランジ外径に等しい内径を有する円筒体であり、かつ濾体長に取出時の移動余裕分を加えた長さに亘って該円筒体の側壁を切り開いて半円筒状とした部分を有する。濾体１１３は、半円筒部分を含む円筒体中に、スプリングと共にスライド可能に収容される。外筒１３は保持器１２外周に同軸に螺合され、螺合を解けば外筒１３を軸線方向へ摺動させて濾体１１の外部取出が可能になる。【選択図】図２
0003150057.tif 000002
【実用新案登録請求の範囲】
【請求項１】
円筒形の濾体と、濾体を着脱自在に保持する保持器と、保持器外周面を気密に覆う外筒とを具え、保持器の両端に外部配管を対向取着可能な濾過装置であって、
前記濾体は、円筒状に形成した多孔板の周囲に濾材を巻き付けてなり、該円筒は両端にフランジを具え、その一方に流出孔があり、
前記保持器は両端に孔明き端板を具え濾体のフランジ外径に等しい内径を有する円筒体として形成され、かつ濾体長に取出時の移動余裕分を加えた長さに亘って該円筒体の側壁を切り開いて半円筒状とした部分を有し、濾体は、該半円筒部分を含む円筒体中に、流出孔を有するフランジ側を保持器の孔明き端板にパッキングを介して当接させつつ、反対側からスプリングで押してスライド可能に収容され、
前記外筒は保持器外周に同軸に螺合され、保持器内外をＯリングにより密封し、螺合を解くことにより、保持器両端の外部配管を維持したまま外筒を軸線方向へ摺動させて前記半円筒部分を露出させ、濾体の外部取出しが可能になることを特徴とする前記濾過装置。
【考案の詳細な説明】
【技術分野】
【０００１】
本考案は、油、空気、水、塗料、溶剤などの流体送路に挿入され、流体から異物を分離するための濾過装置に関する。
【背景技術】
【０００２】
従来品は、配管の軸方向に対して垂直方向に濾体を配置するものが多く、配置する際にスペース、部品点数、材料等を多く必要とした。また、配管と同軸方向に配置するものでは、濾体の洗浄、交換の際に装置の両端あるいは一端の配管を取り外す必要がある等の不便があった。
【０００３】
また、比較的に省スペースのタイプ（例えばＹ型ストレーナ等）でも、液体の流路形状が複雑になり、圧力損失が高くなる傾向にあり、さらに、濾体と装置本体のシール性が不十分になる等の問題があった。
【０００４】
特許文献１及び２に記載の発明は共に「フィルター装置」に関するものであるが、いずれも本考案とは構成を異にする。
【特許文献１】特開2000-061216号公報
【特許文献２】特表2000-501649号公報
【考案の開示】
【考案が解決しようとする課題】
【０００５】
本考案は、配管周辺の省スペースを実現し、かつ、装置全体を配管の途中に装着したままで濾過エレメントの取出しと再装着が容易にでき、装着後に十分な密封性が確保される濾過装置を提供することを目的とする。
【課題を解決するための手段】
【０００６】
上記の課題は、円筒形の濾体と、濾体を着脱自在に保持する保持器と、保持器外周面を気密に覆う外筒とを具え、保持器の両端に外部配管を対向取着可能な濾過装置であって、前記濾体は、円筒状に形成した多孔板の周囲に濾材を巻き付けてなり、該円筒は両端にフランジを具え、その一方に流出孔があり、前記保持器は両端に孔明き端板を具え濾体のフランジ外径に等しい内径を有する円筒体として形成され、かつ濾体長に取出時の移動余裕分を加えた長さに亘って該円筒体の側壁を切り開いて半円筒状とした部分を有し、濾体は該半円筒部分を含む円筒体中に、流出孔を有するフランジ側を保持器の孔明き端板にパッキングを介して当接させつつ、反対側からスプリングで押してスライド可能に収容され、前記外筒は保持器外周に同軸に螺合され、保持器内外をＯリングにより密封し、螺合を解くことにより、保持器両端の外部配管を維持したまま外筒を軸線方向へ摺動させて前記半円筒部分を露出させ、濾体の外部取出しが可能になることを特徴とする濾過装置、により解決される。
【０００７】
上記濾過装置においては、被濾過流体は一方の配管から流入し、前記保持器内のスプリングの近傍を経由して濾体の周囲に至り、そこから濾材を透過して濾体内部へ流入し、濾体フランジの流出孔からもう一方の配管内へ流出する。
【考案の効果】
【０００８】
上記濾過装置は、その両端に配管を取付けたまま外筒をスライドさせて濾体を取出し、洗浄や濾材交換作業の後、容易に再装着を行うことができ、再装着後も密封性が高い。したがってフィルター装置のメンテナンス作業が容易になる。
【考案を実施するための最良の形態】
【０００９】
本考案の好適な実施形態を、以下の実施例により説明する。
【実施例】
【００１０】
本考案の一実施例を添付図面を参照しつつ説明する。
【００１１】
図１は本考案に係る濾過装置の構造を示す立面断面図、図２Ａは本考案に係る濾過装置の斜視図、同Ｂは外筒をスライドした状態の斜視図である。
【００１２】
本実施例に係る濾過装置１０は、円筒形の濾体１１と、濾体を着脱自在に保持する保持器１２と、保持器外周面を気密に覆う外筒１３とを具え、保持器の両端に外部配管１４を対向して取り着け可能である。
【００１３】
濾体１１は、円筒状に形成した多孔板１１２の周囲に濾材１１１を巻き付けてなり、該円筒１１２は両端にフランジ１１３、１１４を具え、一方のフランジ１１３には流出孔がある。
【００１４】
保持器１２は両端に孔明き端板１２１、１２１を具え、濾体のフランジ１１３、１１４の外径に等しい内径を有する円筒体として形成され、かつ濾体長に取出時の移動余裕分を加えた長さに亘って該円筒体の側壁を切り開いて半円筒状とした部分を有し、濾体１１は該半円筒部分を含む円筒体中に、フランジ１１３側を保持器の孔明き端板１２１にパッキング１２２を介して当接させつつ、反対側からスプリング１１５で押してスライド可能に収容される。
【００１５】
外筒１３は保持器１２の外周に同軸に螺合され、保持器１２内外をＯリング１２３により密封し、外筒１３を回して螺合を解くことにより、保持器１２両端の外部配管１４を維持したまま、外筒１３を軸線方向へ摺動させて前記半円筒部分を露出させることができ、かくして濾体１１の外部取出しが可能になる。
【００１６】
その結果、本実施例に係る濾過装置１０によれば、その両端に配管１４を取付けたまま外筒１３をスライドさせて濾体１１を取出し、洗浄や濾材交換作業の後、容易に再装着を行うことができ、再装着後も密封性が高い。したがってフィルター装置のメンテナンス作業が容易になる。
【図面の簡単な説明】
【００１７】
【図１】本考案に係る濾過装置の構造を示す立面断面図である。
【図２】図２Ａは本考案に係る濾過装置の斜視図、同Ｂは外筒をスライドした状態の斜視図である。
【符号の説明】
【００１８】
１０  濾過装置
１１  濾体
１１１  濾材
１１２  孔明き円筒
１１３  フランジ（流出孔あり）
１１４  フランジ（流出孔なし）
１１５  スプリング
１２  保持器
１２１  孔明き端板
１２２  パッキング
１２３  Ｏリング
１２４  外筒螺合用ネジ山
１２５  配管用開口
１３  外筒
１４  外部配管
【図１】
0003150057.tif 000003
【図２】
0003150057.tif 000004